(57)【要約】【課題】フラットワイヤーに電線を接続する作業を簡単に、かつ容易に行うことができるコネクタおよびワイヤーハーネスを提供する。【解決手段】ハウジング部１０の凹部１１に、導線１ａを部分的に露出させたフラットワイヤー１および電線２に接続された端子部材５０を、導線１ａに端子部材５０が当接し、かつ凹部１１の深さ方向に重ねた状態で収容する。ハウジング部１０にカバー部２０を固定部により固定すると、カバー部２０の凸部２１が、ハウジング部１０の凹部１１に重なった状態で収容されたフラットワイヤー１および端子部材５０を凹部１１の内底面部に向けて押圧し、フラットワイヤー１の導線１ａに端子部材５０が確実に当接する。【選択図】図６
2015053218.tif 000002
【特許請求の範囲】
【請求項１】
一側部に凹部を備えたハウジング部と、
一側部に前記凹部に嵌入可能な凸部を備えたカバー部と、
前記ハウジング部に前記カバー部を固定する固定部と、
電線の端部に接続される端子部材とを含んで構成されるコネクタであって、
前記凹部は、導線を部分的に露出させたフラットワイヤーおよび前記端子部材を、前記導線に端子部材が当接し、かつ前記凹部の深さ方向に重ねた状態で収容するよう構成され、
前記凸部は、前記ハウジング部に前記カバー部を前記固定部により固定したときに、前記凹部に重なった状態で収容された前記フラットワイヤーおよび前記端子部材を前記凹部の内底面部に向けて押圧し得るよう構成され、
前記ハウジング部は一端部に、前記凹部から外部へ向けて延び、かつ前記フラットワイヤーおよび前記電線が挿通される切欠き部を備えたことを特徴とするコネクタ。
【請求項２】
前記ハウジング部および前記カバー部は、屈曲可能な連結部を介して接合されていることを特徴とする請求項１に記載のコネクタ。
【請求項３】
前記ハウジング部は、前記切欠き部に隆起部を、前記フラットワイヤーの幅方向に延び、かつ前記フラットワイヤーに当接するよう備えていることを特徴とする請求項１または請求項２に記載のコネクタ。
【請求項４】
前記端子部材は、前記凹部に嵌入するよう構成されていることを特徴とする請求項１ないし請求項３のいずれか１項に記載のコネクタ。
【請求項５】
前記ハウジング部は他端部に、前記ハウジング部の一側部から他側部へ向けて貫通し、かつ前記フラットワイヤーの端部が挿通される開口部を備えていることを特徴とする請求項１ないし請求項４のいずれか１項に記載のコネクタ。
【請求項６】
電線と、
導線を部分的に露出させたフラットワイヤーと、
前記ハウジング部、前記カバー部、前記固定部および前記端子部材を含んで構成される請求項１ないし請求項５のいずれか１項に記載のコネクタとを備えたことを特徴とするワイヤーハーネス。
【発明の詳細な説明】
【技術分野】
【０００１】
本発明は、コネクタおよびワイヤーハーネスに関する。
【背景技術】
【０００２】
従来、平行に並んだ複数の導線を絶縁層により被覆したフラットワイヤーに、電線を接続するためのコネクタが知られている（例えば、特許文献１参照）。
【０００３】
上述のコネクタは、フラットワイヤーの導線と同数の接続端子と、各接続端子を一体に保持するコネクタハウジングとを含んで構成されている。接続端子は、一方の端子接続部と他方の端子接続部とを有している。一方の端子接続部は、例えば、相手方端子を介して電線の導線の端部に接続されるようになっている。他方の端子接続部は、フラットワイヤーの導線の端部に溶接により接合されるようになっている。
【先行技術文献】
【特許文献】
【０００４】
【特許文献１】特開２００５−３１７３６５号公報
【発明の概要】
【発明が解決しようとする課題】
【０００５】
しかしながら、上述のコネクタは、接続端子の他方の端子接続部にフラットワイヤーの導線の端部を溶接しているため、フラットワイヤーに電線を接続する作業を簡単に、かつ容易に行うことができなかった。
【０００６】
そこで、本発明は、上述した課題を解決するためになされたものであり、フラットワイヤーに電線を接続する作業を簡単に、かつ容易に行うことができるコネクタおよびワイヤーハーネスを提供することを目的としている。
【課題を解決するための手段】
【０００７】
本発明に係るコネクタは、上記目的を達成するため、一側部に凹部を備えたハウジング部と、一側部に前記凹部に嵌入可能な凸部を備えたカバー部と、前記ハウジング部に前記カバー部を固定する固定部と、電線の端部に接続される端子部材とを含んで構成されるコネクタであって、前記凹部は、導線を部分的に露出させたフラットワイヤーおよび前記端子部材を、前記導線に端子部材が当接し、かつ前記凹部の深さ方向に重ねた状態で収容するよう構成され、前記凸部は、前記ハウジング部に前記カバー部を前記固定部により固定したときに、前記凹部に重なった状態で収容された前記フラットワイヤーおよび前記端子部材を前記凹部の内底面部に向けて押圧し得るよう構成され、前記ハウジング部は一端部に、前記凹部から外部へ向けて延び、かつ前記フラットワイヤーおよび前記電線が挿通される切欠き部を備えた構成を有している。
【０００８】
この構成により、本発明に係るコネクタは、ハウジング部の凹部に、導線を部分的に露出させたフラットワイヤーおよび端子部材を収容するとともに、導線に端子部材が当接し、かつ凹部の深さ方向に重ねた状態で収容する。
【０００９】
また、本発明に係るコネクタは、ハウジング部にカバー部を固定部により固定したときに、カバー部の凸部が、ハウジング部の凹部に重なった状態で収容されたフラットワイヤーおよび端子部材を凹部の内底面部に向けて押圧する。
【００１０】
このため、本発明に係るコネクタは、フラットワイヤーの導線に端子部材が確実に当接し、フラットワイヤーに電線を接続する作業を簡単に、かつ容易に行うことができる。
【００１１】
上述した構成のコネクタにおいて、前記ハウジング部および前記カバー部は、屈曲可能な連結部を介して接合されている構成としてもよい。
【００１２】
この構成により、本発明に係るコネクタは、ハウジング部およびカバー部を、連結部により一体化する。このため、本発明に係るコネクタは、ハウジング部あるいはカバー部のいずれか一方を紛失してしまうことがない。
【００１３】
また、上述した構成のコネクタにおいて、前記ハウジング部は、前記切欠き部において、前記フラットワイヤーの幅方向に延び、かつ前記フラットワイヤーに当接する隆起部を備えている構成としてもよい。
【００１４】
この構成により、本発明に係るコネクタは、切欠き部に挿通されるフラットワイヤーに隆起部が当接する。このため、本発明に係るコネクタは、フラットワイヤーに長手方向への引張力が作用すると、フラットワイヤーと隆起部との間に摩擦力が生じることになり、ハウジング部からフラットワイヤーが離脱し難い。
【００１５】
また、上述した構成のコネクタにおいて、前記端子部材は、前記凹部に嵌入するよう構成してもよい。
【００１６】
この構成により、本発明に係るコネクタは、凹部に端子部材が嵌入する。このため、本発明に係るコネクタは、電線に長手方向への引張力が作用しても、ハウジング部から端子部材が離脱しない。
【００１７】
さらに、上述した構成のコネクタにおいて、前記ハウジング部は他端部に、前記ハウジング部の厚み方向へ向けて貫通し、前記フラットワイヤーの端部が挿通される開口部を備えている構成としてもよい。
【００１８】
この構成により、本発明に係るコネクタは、開口部にフラットワイヤーの端部を挿通して、フラットワイヤーにおける導線露出部分をハウジング部の凹部に収容する。このため、本発明に係るコネクタは、ハウジング部に対するフラットワイヤーの長手方向の位置を調整して、フラットワイヤーにおける導線露出部分をハウジング部の凹部に確実に位置させることができる。また、本発明に係るコネクタは、長手方向へフラットワイヤーを引っ張る力に対して踏ん張りを効かすことできる。
【００１９】
本発明に係るワイヤーハーネスは、上記目的を達成するため、電線と、導線を部分的に露出させたフラットワイヤーと、前記ハウジング部、前記カバー部、前記固定部および前記端子部材を含んで構成される上述したコネクタを備えた構成を有している。
【００２０】
この構成により、本発明に係るワイヤーハーネスは、ハウジング部の凹部に、導線を部分的に露出させたフラットワイヤーおよび端子部材を収容するとともに、導線に端子部材が当接し、かつ凹部の深さ方向に重ねた状態で収容する。
【００２１】
また、本発明に係るワイヤーハーネスは、ハウジング部にカバー部を固定部によって固定したときに、カバー部の凸部が、ハウジング部の凹部に収容されたフラットワイヤーおよび端子部材を凹部の内底面部に向けて押圧する。
【００２２】
このため、本発明に係るワイヤーハーネスは、フラットワイヤーに電線を接続する作業を簡単に、かつ容易に行うことができる。
【発明の効果】
【００２３】
本発明によれば、フラットワイヤーに電線を接続する作業を簡単に、かつ容易に行うことができるコネクタおよびワイヤーハーネスを提供することができる。
【図面の簡単な説明】
【００２４】
【図１】本発明の実施の形態に係るコネクタを構成するハウジング部、カバー部、固定部、連結部および端子部材の平面図である。
【図２】本発明の実施の形態に係るコネクタを構成する端子部材の単体図であり、図２（ａ）は電線接続前の平面図、図２（ｂ）は電線接続前の側面図である。
【図３】図１におけるハウジング部にフラットワイヤーと端子部材を装着した状態の平面図である。
【図４】図３のＡ−Ａ断面図である。
【図５】図４のＢ−Ｂ断面図である。
【図６】本発明の実施の形態に係るコネクタを用いたワイヤーハーネスの縦断面図である。
【図７】本発明の実施の形態に係るコネクタにフラットワイヤーを装着する工程を示す斜視図である。
【図８】本発明の実施の形態に係るコネクタにフラットワイヤーと端子部材を装着してワイヤーハーネスを構成する工程を示す斜視図である。
【図９】本発明の実施の形態の第１の変形例に係るコネクタの縦断面図である。
【図１０】本発明の実施の形態の第２の変形例に係るコネクタの部分縦断面図である。
【図１１】図１０におけるフラットワイヤーの平面図である。
【図１２】図１〜図８に示すコネクタを２つ用いたワイヤーハーネスの側面図である。
【発明を実施するための形態】
【００２５】
以下、本発明の実施の形態に係るコネクタおよびワイヤーハーネスについて、図面を参照して説明する。
【００２６】
図１ないし図８に示すように、本実施の形態に係るコネクタＣ１は、フラットワイヤー１に電線２を接続するものであり、ハウジング部１０、カバー部２０、固定部３０、連結部４０および端子部材５０を含んで構成されている。また、本実施の形態に係るワイヤーハーネスＷは、フラットワイヤー１、電線２、およびコネクタＣ１を含んで構成されている。
【００２７】
フラットワイヤー１は、並列に配置された複数の導線１ａを、絶縁層１ｂによって一体に被覆した帯状体である。
【００２８】
ハウジング部１０は、略矩形平面形状の凹部１１を有する。ハウジング部１０は一端部（図１における右側）に、凹部１１から外部へ向けて延び、かつフラットワイヤー１および電線２が挿通される切欠き部１２を備えており、凹部１１および切欠き部１２は、連続して形成されている。
【００２９】
凹部１１は、一面側（上面）の絶縁層１ｂを剥すことにより導線１ａを部分的に露出させたフラットワイヤー１および端子部材５０を収容するとともに、導線１ａに端子部材５０が当接し、かつ凹部１１の深さ方向に重ねた状態で収容するよう構成されている。また、凹部１１は、フラットワイヤー１の幅方向の寸法において切欠き部１２よりも大きく形成されている。
【００３０】
ハウジング部１０における切欠き部１２には、フラットワイヤー１の幅方向に延び、かつフラットワイヤー１の他面側に当接する隆起部１３を備えている。ハウジング部１０の他端部（図１における左側）には、ハウジング部１０の厚み方向（図４における上下方向）へ向けて貫通し、フラットワイヤー１の挿通端部１ｘが挿通される開口部１４を備えている。この開口部１４は、壁部１５によって凹部１１と仕切られている。
【００３１】
カバー部２０は、凹部１１に嵌入可能な凸部２１を備えている。凸部２１は、凹部１１内で重なった状態で収容されたフラットワイヤー１および端子部材５０を、凹部１１の内底面部に向けて押圧し得るよう構成されている。カバー部２０は、凹部１１から開口部１４に向けて延びるフラットワイヤー１の挿通端部１ｘの一部を収容する凹部２２を備えている。
【００３２】
固定部３０は、係合突起部３１と、係合突起部３１が嵌まり込む係合孔３２ａを有するブラケット３２とによって構成されている。係合突起部３１はハウジング部１０に、フラットワイヤー１の幅方向両側に向けて突出するよう設けられている。ブラケット３２はカバー部２０に、フラットワイヤー１の幅方向両側に向けて突出するよう設けられている。
【００３３】
固定部３０は、ハウジング部１０の凹部１１にカバー部２０の凸部２１を嵌入させたときに、各ブラケット３２の係合孔３２ａに各係合突起部３１が嵌まり込んで、ハウジング部１０にカバー部２０を固定するようになっている。
【００３４】
連結部４０は、上述したハウジング部１０とカバー部２０とを接合している。ハウジング部１０、カバー部２０、固定部３０および連結部４０は、ポリプロピレン等の樹脂材料によって一体に形成されている。これにより、固定部３０のブラケット３２は弾性変形し得るようになっている。また、連結部４０は、屈曲し得るようになっている。
【００３５】
連結部４０は屈曲させると、ハウジング部１０の凹部１１にカバー部２０の凸部２１が嵌入し、各ブラケット３２の係合孔３２ａに各係合突起部３１が嵌まり込むようになっている。
【００３６】
端子部材５０は、ハウジング部１０の凹部１１に嵌入する端子部５１と、端子部５１に連なる圧着部５２とによって構成されている。端子部材５０は、金属板に打ち抜き加工を施すことにより形成されている。端子部５１は、絶縁層１ｂを剥して部分的に露出させたフラットワイヤー１の導線１ａに当接するようになっている。また、圧着部５２は、電線２の端部にかしめ圧着している。
【００３７】
コネクタＣ１により、フラットワイヤー１に電線２を接続してワイヤーハーネスＷを構成するときには、フラットワイヤー１の一面側（上面）の絶縁層１ｂを剥して、導線１ａを部分的に露出させておく（図７参照）。絶縁層１ｂを剥す範囲は、フラットワイヤー１に対する端子部材５０の長手方向の寸法Ｌ（図２参照）よりも大きくなるようにする。さらに、電線２の端部に端子部材５０の圧着部５２を圧着しておく（図１参照）。
【００３８】
まず、ハウジング部１０の開口部１４にフラットワイヤー１の挿通端部１ｘを挿通して、ハウジング部１０の凹部１１にフラットワイヤー１における導線露出部分１ｙを、露出した導線１ａが上方を向くように収容する（図７参照）。フラットワイヤー１の挿通端部１ｘの長さは任意であるが、例えば、図４〜図８に示すように、先端部が開口部１４からハウジング部１０の外方へ出るようにすることが好ましい。
【００３９】
また同時に、ハウジング部１０の切欠き部１２にフラットワイヤー１を挿通する。このとき、ハウジング部１０に対するフラットワイヤー１の長手方向の位置を調整することにより、フラットワイヤー１における導線露出部分１ｙをハウジング部１０の凹部１１に確実に位置させる。
【００４０】
次いで、ハウジング部１０の凹部１１に端子部材５０を、端子部５１の下面部がフラットワイヤー１の導線１ａに当接するよう収容する（図３、図４、図５、図８参照）。この後、ハウジング部１０の凹部１１にカバー部２０の凸部２１が嵌入するよう連結部４０を屈曲させ、各ブラケット３２の係合孔３２ａに各係合突起部３１を嵌め込む。これにより、ハウジング部１０にカバー部２０を固定してワイヤーハーネスＷを構成する（図６、図８参照）。
【００４１】
この際、凹部１１から開口部１４に向けて延びるフラットワイヤー１の挿通端部１ｘの一部は、カバー部２０の凹部２２に収容されるため、フラットワイヤー１とカバー部２０とが互いに干渉しない。
【００４２】
カバー部２０の凸部２１は、ハウジング部１０の凹部１１内で重なった状態で収容されたフラットワイヤー１および端子部材５０を、凹部１１の内底面部に向けて押圧する。よって、フラットワイヤー１の導線１ａに端子部材５０の端子部５１が確実に当接する。
【００４３】
本実施の形態に係るコネクタＣ１およびワイヤーハーネスＷは、ハウジング部１０の凹部１１に、導線１ａを部分的に露出させたフラットワイヤー１および端子部材５０を収容するとともに、導線１ａに端子部材５０が当接し、かつ凹部１１の深さ方向に重ねた状態で収容する。
【００４４】
また、本発明に係るコネクタＣ１およびワイヤーハーネスＷは、カバー部２０の凸部２１が、ハウジング部１０の凹部１１内で重なった状態で収容されたフラットワイヤー１および端子部材５０を凹部１１の内底面部に向けて押圧する。
【００４５】
このため、本実施の形態に係るコネクタＣ１およびワイヤーハーネスＷは、フラットワイヤー１の導線１ａに端子部材５０の端子部５１が確実に当接し、フラットワイヤー１に電線２を接続する作業を簡単に、かつ容易に行うことができる。
【００４６】
本実施の形態に係るコネクタＣ１およびワイヤーハーネスＷは、屈曲可能な連結部４０を介してハウジング部１０およびカバー部２０を接合している。
【００４７】
このため、本実施の形態に係るコネクタＣ１およびワイヤーハーネスＷは、ハウジング部１０あるいはカバー部２０のいずれか一方を紛失してしまうことがない。
【００４８】
本実施の形態に係るコネクタＣ１およびワイヤーハーネスＷは、ハウジング部１０の切欠き部１２に、フラットワイヤー１の幅方向に延び、かつフラットワイヤー１に当接する隆起部１３を備えている。
【００４９】
このため、本実施の形態に係るコネクタＣ１およびワイヤーハーネスＷは、フラットワイヤー１に長手方向への引張力が作用すると、フラットワイヤー１と隆起部１３との間に摩擦力が生じることになり、ハウジング部１０からフラットワイヤー１が離脱し難い。
【００５０】
本実施の形態に係るコネクタＣ１およびワイヤーハーネスＷは、ハウジング部１０の凹部１１に端子部材５０が嵌入するよう構成している。このため、本実施の形態に係るコネクタＣ１およびワイヤーハーネスＷは、電線２に長手方向への引張力が作用しても、ハウジング部１０から端子部材５０が離脱しない。
【００５１】
本実施の形態に係るコネクタＣ１およびワイヤーハーネスＷは、ハウジング部１０の他端部に、ハウジング部１０の厚み方向へ向けて貫通し、フラットワイヤー１の挿通端部１ｘが挿通される開口部１４を備えている。
【００５２】
このため、本実施の形態に係るコネクタＣ１およびワイヤーハーネスＷは、ハウジング部１０に対するフラットワイヤー１の長手方向の位置を調整して、フラットワイヤー１における導線露出部分１ｙをハウジング部１０の凹部１１に確実に位置させることができる。
【００５３】
本実施の形態に係るコネクタＣ１およびワイヤーハーネスＷは、フラットワイヤー１の挿通端部１ｘを開口部１４に挿通することにより、フラットワイヤー１を壁部１５に沿って屈曲させている。このため、フラットワイヤー１は、ハウジング部１０の壁部１５とカバー部２０の凹部２２に接触し得る状態になる。よって、本実施の形態に係るコネクタＣ１およびワイヤーハーネスＷは、長手方向へフラットワイヤー１を引っ張る力に対して踏ん張りを効かすことできる。
【００５４】
なお、開口部１４は、コネクタＣ１の必須要件ではない。開口部１４を設けない場合は、フラットワイヤー１の端部をハウジング部１０の凹部１１内に位置させるようにする。
【００５５】
図９に示すように、本実施の形態の第１の変形例に係るコネクタＣ２は、フラットワイヤー１Ａに電線２Ａを接続するとともに、フラットワイヤー１Ｂに電線２Ｂを接続してワイヤーハーネスを構成するものである。コネクタＣ２は、ハウジング部１０、カバー部２０、図示しない固定部、連結部４０、端子部材５０Ａ，５０Ｂおよび絶縁部材６０を含んで構成されている。
【００５６】
コネクタＣ２を構成するハウジング部１０、カバー部２０および連結部４０は、上述したコネクタＣ１のものと略同等であり、図中、図１ないし図８と同一の符号を付した部分は同一物を表している。また、図示しない固定部は、上述したコネクタＣ１における固定部３０と同様に構成されている。
【００５７】
端子部材５０Ａ，５０Ｂは、ハウジング部１０の凹部１１に嵌入する端子部５１Ａ，５１Ｂと、端子部５１Ａ，５１Ｂに連なる圧着部５２Ａ，５２Ｂとによって構成されている。端子部材５０Ａ，５０Ｂは、金属板に打ち抜き加工を施すことにより形成されている。端子部５１Ａ，５１Ｂは、絶縁層１ｂを剥して部分的に露出させたフラットワイヤー１Ａ，１Ｂの導線１ａに当接するようになっている。また、圧着部５２Ａ，５２Ｂは、電線２Ａ，２Ｂの端部にかしめ圧着している。
【００５８】
絶縁部材６０は、端子部材５０Ａの端子部５１Ａと端子部材５０Ｂの端子部５１Ｂとの間に介在するようになっている。
【００５９】
コネクタＣ２により、フラットワイヤー１Ａに電線２Ａを接続するとともに、フラットワイヤー１Ｂに電線２Ｂを接続してワイヤーハーネスを構成するときには、フラットワイヤー１Ａ，１Ｂの一側部の絶縁層１ｂを剥して、導線１ａを部分的に露出させておく。さらに、電線２Ａ，２Ｂの端部に端子部材５０Ａ，５０Ｂの圧着部５２Ａ，５２Ｂを圧着しておく。
【００６０】
まず、ハウジング部１０の開口部１４にフラットワイヤー１Ａの端部を挿通して、ハウジング部１０の凹部１１にフラットワイヤー１Ａにおける導線露出部分１ｙ（図７参照）を、露出した導線１ａが上方を向くように収容する。
【００６１】
また同時に、ハウジング部１０の切欠き部１２にフラットワイヤー１Ａを挿通する。このとき、ハウジング部１０に対するフラットワイヤー１Ａの長手方向の位置を調整することにより、フラットワイヤー１Ａにおける導線露出部分１ｙをハウジング部１０の凹部１１に確実に位置させる。
【００６２】
次いで、ハウジング部１０の凹部１１に、端子部５１Ａの下面部がフラットワイヤー１Ａの導線１ａに当接するよう端子部材５０Ａを収容する。また、端子部材５０Ａの端子部５１Ａの上面部に絶縁部材６０を載置する。さらに、ハウジング部１０の凹部１１に、端子部５１Ｂの下面部が絶縁部材６０に当接するよう端子部材５０Ｂを収容する。
【００６３】
さらに、ハウジング部１０の開口部１４にフラットワイヤー１Ｂの端部を挿通して、ハウジング部１０の凹部１１にフラットワイヤー１Ｂにおける導線露出部分１ｙ（図７参照）を、導線１ａが下方を向いて端子部材５０Ｂの端子部５１Ｂに当接するように収容する。
【００６４】
また同時に、ハウジング部１０の切欠き部１２にフラットワイヤー１Ａを挿通する。このとき、ハウジング部１０に対するフラットワイヤー１Ａの長手方向の位置を調整することにより、フラットワイヤー１Ａにおける導線露出部分１ｙをハウジング部１０の凹部１１に確実に位置させる。
【００６５】
この後、ハウジング部１０の凹部１１にカバー部２０の凸部２１が嵌入するよう連結部４０を屈曲させ、図示しない固定部によりハウジング部１０にカバー部２０を固定してワイヤーハーネスを構成する。
【００６６】
カバー部２０の凸部２１は、ハウジング部１０の凹部１１内で重なった状態で収容されたフラットワイヤー１Ａ、端子部材５０Ａ、絶縁部材６０、端子部材５０Ｂおよびフラットワイヤー１Ｂを凹部１１の内底面部に向けて押圧する。
【００６７】
このため、本実施の形態の第１の変形例に係るコネクタＣ２は、フラットワイヤー１Ａの導線１ａに端子部材５０Ａの端子部５１Ａが確実に当接し、かつフラットワイヤー１Ｂの導線１ａに端子部材５０Ｂの端子部５１Ｂが確実に当接する。
【００６８】
よって、本実施の形態の第１の変形例に係るコネクタＣ２は、フラットワイヤー１Ａに電線２Ａを接続するとともに、フラットワイヤー１Ｂに電線２Ｂを接続する作業を簡単に、かつ容易に行うことができる。
【００６９】
図１０に示すように、本実施の形態の第２の変形例に係るコネクタＣ３は、フラットワイヤー１Ｃに電線２Ａ，電線２Ｂを接続してワイヤーハーネスを構成するものである。コネクタＣ３は、ハウジング部１０、カバー部２０、図示しない固定部、連結部４０、端子部材５０Ａ，５０Ｂおよびスペーサ７０を含んで構成されている。
【００７０】
コネクタＣ３を構成するハウジング部１０、カバー部２０、連結部４０および端子部材５０Ａ，５０Ｂは、上述したコネクタＣ１，Ｃ２のものと略同等であり、図中、図１ないし図９と同一の符号を付した部分は同一物を表している。また、図示しない固定部は、上述したコネクタＣ１における固定部３０と同様に構成されている。
【００７１】
スペーサ７０は、ハウジング部１０の凹部１１の内底面部と端子部材５０Ａの端子部５１Ａとの間に介在するようになっている。
【００７２】
コネクタＣ３により、フラットワイヤー１Ｃに電線２Ａ，２Ｂを接続してワイヤーハーネスを構成するときには、図１１に示すように、フラットワイヤー１Ｃの一面側（図１０における上方）の絶縁層１ｂを剥して、所定の導線１ａを部分的に露出させておく。
【００７３】
また、フラットワイヤー１Ｃの他面側（図１０における下方）の絶縁層１ｂを剥して、フラットワイヤー１Ｃの一面側において露出していない他の導線１ａを部分的に露出させておく。さらに、電線２Ａ，２Ｂの端部に端子部材５０Ａ，５０Ｂの圧着部５２Ａ，５２Ｂを圧着しておく。
【００７４】
まず、ハウジング部１０の凹部１１の内底面にスペーサ７０を載置する。ハウジング部１０の凹部１１に端子部材５０Ａを、端子部５１Ａの下面がスペーサ７０の上面部に当接するよう収容する。
【００７５】
さらに、ハウジング部１０の開口部１４にフラットワイヤー１Ｃの挿通端部１ｘを挿通して、ハウジング部１０の凹部１１にフラットワイヤー１Ｃにおける導線露出部分１ｙを、下方に向けて露出した導線１ａが端子部材５０Ａの端子部５１Ａの上面部に当接するよう収容する。
【００７６】
また同時に、ハウジング部１０の切欠き部１２にフラットワイヤー１Ｃを挿通する。このとき、ハウジング部１０に対するフラットワイヤー１Ｃの長手方向の位置を調整することにより、フラットワイヤー１Ｃにおける導線露出部分１ｙをハウジング部１０の凹部１１に確実に位置させる。
【００７７】
次いで、ハウジング部１０の凹部１１に端子部材５０Ｂを、端子部５１Ｂの下面部がフラットワイヤー１Ｃにおいて上方に向けて露出した導線１ａに当接するよう収容する。
【００７８】
この後、ハウジング部１０の凹部１１にカバー部２０の図示しない凸部が嵌入するよう連結部４０を屈曲させ、図示しない固定部によりハウジング部１０にカバー部２０を固定してワイヤーハーネスを構成する。
【００７９】
カバー部２０の凸部は、ハウジング部１０の凹部１１内で重なった状態で収容されたスペーサ７０、端子部材５０Ａ、フラットワイヤー１Ｃおよび端子部材５０Ｂを、凹部１１の内底面部に向けて押圧する。
【００８０】
このため、本実施の形態の第２の変形例に係るコネクタＣ３は、フラットワイヤー１Ｃにおいて下方に向けて露出した導線１ａに端子部材５０Ａの端子部５１Ａが確実に当接する。また、本実施の形態の第２の変形例に係るコネクタＣ３は、フラットワイヤー１Ｃにおいて上方に向けて露出した導線１ａに端子部材５０Ｂの端子部５１Ｂが確実に当接する。
【００８１】
よって、本実施の形態の第２の変形例に係るコネクタＣ３は、フラットワイヤー１Ｃに電線２Ａ，２Ｂを接続する作業を簡単に、かつ容易に行うことができる。
【００８２】
なお、上述したコネクタＣ１，Ｃ２，Ｃ３は、ハウジング部１０とカバー部２０とを連結部４０により接合しているが、連結部４０を備えないで、ハウジング部１０とカバー部２０とを別体としてもよい。このような構成を採っても、固定部３０、もしくは図示しない固定部によって、ハウジング部１０にカバー部２０を固定することができる。
【００８３】
図１２は、前述のコネクタＣ１を２つ用いたワイヤーハーネスであり、図中、図１〜図８と同一の符号を付した部分は、同一物を表している。
【００８４】
ワイヤーハーネスは、２つのコネクタＣ１が１本のフラットワイヤー１を共用している。各コネクタＣ１は、ハウジング部１０、カバー部２０、固定部３０、連結部４０および端子部材５０を含んで構成されている。端子部材５０の圧着部５２は、電線２の端部をかしめ圧着している。
【００８５】
フラットワイヤー１は、各コネクタＣ１におけるハウジング部１０の開口部１４に挿通され、図３〜図８と同様な手立てにより、各電線２に電気的に接続されている。すなわち、ワイヤーハーネスは、１本のフラットワイヤー１に２本の電線２を接続させることができる。また、コネクタＣ１の数を増やせば、１本のフラットワイヤー１にコネクタＣ１と同数の電線２を接続させることができる。
【００８６】
以上のように、本発明に係るコネクタおよびワイヤーハーネスは、ハウジング部にカバー部を固定部により固定したときに、カバー部の凸部が、ハウジング部の凹部に重なった状態で収容されたフラットワイヤーおよび端子部材を凹部の内底面部に向けて押圧する。このため、本発明に係るコネクタおよびワイヤーハーネスは、フラットワイヤーの導線に端子部材が確実に当接する。
【００８７】
よって、本発明に係るコネクタおよびワイヤーハーネスは、フラットワイヤーに電線を接続する作業を簡単に、かつ容易に行うことができるという効果を奏するものである。
【産業上の利用可能性】
【００８８】
本発明に係るコネクタおよびワイヤーハーネスは、フラットワイヤーに電線を接続する作業を簡単に、かつ容易に行うことができるので、車両、種々の装置、機械設備等に利用できる。
【符号の説明】
【００８９】
１，１Ａ，１Ｂ，１Ｃ  フラットワイヤー
１ａ  導線
１ｂ  絶縁層
２，２Ａ，２Ｂ  電線
１０  ハウジング部
１１  凹部
１２  切欠き部
１３  隆起部
１４  開口部
２０  カバー部
２１  凸部
３０  固定部
５０，５０Ａ，５０Ｂ  端子部材
Ｃ１，Ｃ２，Ｃ３  コネクタ
Ｗ  ワイヤーハーネス
【図１】
2015053218.tif 000003
【図２】
2015053218.tif 000004
【図３】
2015053218.tif 000005
【図４】
2015053218.tif 000006
【図５】
2015053218.tif 000007
【図６】
2015053218.tif 000008
【図７】
2015053218.tif 000009
【図８】
2015053218.tif 000010
【図９】
2015053218.tif 000011
【図１０】
2015053218.tif 000012
【図１１】
2015053218.tif 000013
【図１２】
2015053218.tif 000014